(57)【特許請求の範囲】
【請求項１】
天板と、水平方向に間隔をあけて複数設けられて、前記天板を支持する脚部材と、水平方向に隣り合う前記脚部材の上端部どうしを連結する連結部材と、を有するテーブルにおいて、
前記天板には、下方に開口する凹部が形成されていて、
前記脚部材は、床面に立設する支柱部と、該支柱部の上側に連結されて前記天板の下面に沿って配置される上側水平部と、を有し、
該上側水平部は、少なくとも上部側が前記凹部に挿入され、
前記連結部材は、少なくとも上部側が前記凹部に挿入され、前記凹部の側面に沿って設けられていることを特徴とするテーブル。
【請求項２】
前記上側水平部と接合されて前記天板に固定される固定部を有し、
該固定部は、少なくとも上部側が前記凹部に挿入され、該凹部において前記天板に固定され、前記天板に固定されている部分が他の部分よりも高い位置に配置されていることを特徴とする請求項１に記載のテーブル。
【請求項３】
前記上側水平部と接合されて前記天板に固定される固定部を有し、
該固定部は、前記上側水平部の下端部よりも上方において前記天板に固定されていることを特徴とする請求項１または２に記載のテーブル。
【発明の詳細な説明】
【技術分野】
【０００１】
本発明は、テーブルに関する。
【背景技術】
【０００２】
従来、執務空間や居住空間に設置されるテーブルとして、天板と、互いに水平方向に離間しそれぞれ天板を支持する一対の脚部材を有するものや、更に一対の脚部材どうしを連結する連結部材を有するものが知られている（例えば、特許文献１参照）。このようなテーブルの脚部材としては、床面に立設する支柱部と、支柱部の上側に連結されて天板の下面に沿って設けられる上側水平部と、有するものが知られている。
【先行技術文献】
【特許文献】
【０００３】
【特許文献１】特許第４３５５３８７号公報
【発明の概要】
【発明が解決しようとする課題】
【０００４】
このようなテーブルは、上側水平部や連結部材が天板の下面に沿った状態で固定されているため、上側水平部や連結部材が天板の下面から突出してしまい、見栄えが悪いという問題がある。また、上側水平部や連結部材によって天板の下側の空間が狭くなり、使用者や天板下に収容されるワゴンなどが上側水平部や連結部材と干渉してしまい、使い勝手が悪いという問題がある。
【０００５】
そこで、本発明は、天板の下側の空間を広く確保できるとともに見栄えを良くすることができるテーブルを提供することを目的とする。
【課題を解決するための手段】
【０００６】
上記目的を達成するため、本発明に係るテーブルは、天板と、水平方向に間隔をあけて複数設けられて、前記天板を支持する脚部材と、水平方向に隣り合う前記脚部材の上端部どうしを連結する連結部材と、を有するテーブルにおいて、前記天板には、下方に開口する凹部が形成されていて、前記脚部材は、床面に立設する支柱部と、該支柱部の上側に連結されて前記天板の下面に沿って配置される上側水平部と、を有し、該上側水平部は、少なくとも上部側が前記凹部に挿入され、前記連結部材は、少なくとも上部側が前記凹部に挿入され、前記凹部の側面に沿って設けられていることを特徴とする。
【０００７】
本発明では、上側水平部は、少なくとも上部側が凹部に挿入されていることにより、上側水平部が天板の下面から突出する寸法を小さくできる。これにより、テーブルの見栄えを良くできるとともに、天板の下方の空間を広く確保できて、使用者や天板下に収容されるワゴンなどが上側水平部と干渉することを抑制できる。
また、本発明に係るテーブルでは、脚部材が水平方向に間隔をあけて複数設けられていて、水平方向に隣り合う脚部材の上端部どうしを連結する連結部材を有し、連結部材は、少なくとも上部側が凹部に挿入されている。
このような構成とすることにより、複数の脚部材および連結部材によって天板を強固かつ安定的に支持できる。連結部材は、少なくとも上部側が凹部に挿入されていることにより、連結部材が天板の下面から突出する寸法を小さくできる。これにより、テーブルの見栄えを良くできるとともに、使用者や天板下に収容されるワゴンなどが連結部材と干渉することを抑制できる。
【０００８】
また、本発明に係るテーブルでは、前記上側水平部と接合されて前記天板に固定される固定部を有し、該固定部は、少なくとも上部側が前記凹部に挿入され、該凹部において前記天板に固定され、前記天板に固定されている部分が他の部分よりも高い位置に配置されていてもよい。
このような構成とすることにより、固定部が天板の下面から突出する寸法を小さくできる。
【０００９】
また、本発明に係るテーブルでは、前記上側水平部と接合されて前記天板に固定される固定部を有し、該固定部は、前記上側水平部の下端部よりも上方において前記天板に固定されていることが好ましい。
このような構成とすることにより、上側水平部に使用者や天板下に収容されるワゴンなどが下側から接触した場合も、使用者や天板下に収容されるワゴンなどが固定部を天板に固定するためのネジなどの固定具と接触することを防止できる。
【発明の効果】
【００１３】
本発明によれば、テーブルの見栄えを良くできるとともに、天板の下側の空間を広く確保することができて使用者や天板下に収容されるワゴンなどが上側水平部と干渉することを抑制できる。
【図面の簡単な説明】
【００１４】
【図１】本発明の第１実施形態によるテーブルの一例を示す斜視図である。
【図２】本発明の第１実施形態によるテーブルを上方から見た図である。
【図３】本発明の第１実施形態によるテーブルを奥行き方向から見た図である。
【図４】本発明の第１実施形態によるテーブルを幅方向から見た図である。
【図５】本発明の第１実施形態によるテーブルを下方から見た図である。
【図６】（ａ）は天板を下方から見た図、（ｂ）は図６のＡ−Ａ線断面図、（ｃ）は図６のＢ−Ｂ線断面図である。
【図７】（ａ）は脚部材を幅方向から見た図、（ｂ）は支柱部と上側水平部の接合部分を説明する図、（ｃ）は上側水平部および固定部を説明する図である。
【図８】固定部を説明する斜視図である。
【図９】図２のＣ−Ｃ線断面図である。
【図１０】図２のＤ−Ｄ線断面図である。
【図１１】図２のＥ−Ｅ線断面図である。
【図１２】配線収容部材を示す斜視図である。
【図１３】照明部を示す斜視図である。
【図１４】本発明の第２実施形態によるテーブルの天板を下方から見た図である。
【図１５】本発明の第２実施形態によるテーブルを下方から見た図である。
【図１６】（ａ）は図１５のＦ−Ｆ線断面図、（ｂ）は（ａ）の固定部および連結部材を示す図である。
【図１７】本発明の変形例によるテーブルを示す斜視図である。
【図１８】本発明の他の形例によるテーブルを示す斜視図である。
【発明を実施するための形態】
【００１５】
（第１実施形態）
以下、本発明の実施形態によるテーブルについて、図１乃至図１３に基づいて説明する。
図１乃至図５に示すように、本実施形態によるテーブル１Ａは、天板２Ａと、天板２Ａを支持する一対の脚部材３，３と、一対の脚部材３，３をそれぞれ天板２Ａに固定する固定部４Ａ，４Ａ…（図３および図５参照）と、一対の脚部材３，３を連結する一対の連結部材５Ａ，５Ａ（図３および図５参照）と、天板２Ａの下側に固定された電源部６（図３および図５参照）と、電源部６の配線を収容する配線収容部７と、天板２Ａに立設する照明部８と、を有している。
【００１６】
本実施形態では、天板２Ａは、板面が略長方形状となる板状の部材で構成されている。天板２Ａの板面の略長方形の長辺が延びる水平方向を幅方向とし、軸方向に直交する短辺が延びる水平方向を奥行き方向とし、幅方向および奥行き方向に直交する鉛直方向を高さ方向（上下方向）とする。
また、幅方向における天板２Ａの縁部に対する天板２Ａの中央側を幅方向内側、天板２Ａの中央に対する天板２Ａの縁部側を幅方向外側とし、奥行き方向における天板２Ａの縁部に対する天板２Ａの中央側を奥行き内側、天板２Ａの中央に対する天板２Ａの縁部側を奥行き外側とする。以下の各部材の説明では、テーブル１Ａを構成している際の姿勢について説明している。
【００１７】
図６に示すように、天板２Ａは、下部側に下方に開口する凹部２１が形成されている。なお、図６（ａ）では凹部２１をハッチングで示している。凹部２１は、天板２Ａの幅方向の両端部近傍それぞれ形成された一対の第１凹部２２，２２と、一対の第１凹部２２，２２の間に形成され一対の第１凹部２２，２２それぞれと内部が連通する第２凹部２３と、を有している。
一対の第１凹部２２，２２は、それぞれ平面視形状が奥行き方向に長い略長方形で、後述する一対の脚部材３，３それぞれの上側水平部３２の上部側が嵌合可能な形状に形成されている。
第２凹部２３は、平面視形状が幅方向に長い略長方形で、奥行き方向の両端部が一対の第１凹部２２，２２の奥行き方向の両端部よりも奥行き方向内側に配置されている。一対の第１凹部２２，２２および第２凹部２３は、同じ深さに形成されている。
【００１８】
一対の第１凹部２２，２２と第２凹部２３とは連通されていて、これらを合せた凹部２１の平面視形状は略Ｈ字型となっている。
本実施形態では、凹部２１は、天板２Ａの縁部よりも幅方向内側および奥行き方向内側に形成されている。天板２Ａの奥行き方向の縁部から第２凹部２３までの寸法は、天板２Ａの幅方向の縁部から一対の第１凹部２２，２２それぞれまでの寸法よりも長くなるように設定されている。
天板２Ａには、第２凹部２３と上下方向に重なる位置に上下方向に貫通し、後述する照明部８の支柱部８１が挿通される照明用孔部２４が幅方向に間隔をあけて２つ形成されている。
【００１９】
天板２Ａが複数の板材が厚さ方向（高さ方向）に積層された構造であり、凹部２１が形成される部分に積層される板材の枚数をその他の部分よりも少なくすることで天板２Ａに凹部２１を形成するようにしてもよいし、天板２Ａとなる板材の凹部２１が形成される部分を削ることで天板２Ａに凹部２１を形成するようにしてもよい。
天板２Ａの下面のうちの凹部２１が形成されていない部分を天板２Ａの下面２ａとし、凹部２１が形成されている部分の下面（凹部２１の底面）を凹部２１の底面２１ａとする。凹部２１の底面２１ａのうち第１凹部２２，２２の底面を底面２２ａ，２２ａとし、第２凹部２３の底面を底面２３ａとする。
【００２０】
図１および図３に示すように、一対の脚部材３，３は、幅方向に間隔をあけて対向し、一方の脚部材３が天板２Ａの幅方向一方側の端部近傍の直下に配置され、他方の脚部材３が天板２Ａの幅方向他方側の端部近傍の直下に配置されている。
図７（ａ）に示すように、一対の脚部材３，３は、高さ方向に延在し奥行き方向に間隔をあけて床面１１（図１参照）に立設する一対の支柱部３１，３１と、奥行き方向に延在し一対の支柱部３１，３１の上端部どうしを連結する上側水平部３２と、奥行き方向に延在し一対の支柱部３１，３１の下端部どうしを連結する下側水平部３３と、をそれぞれ有している。
【００２１】
上側水平部３２および下側水平部３３は、一対の支柱部３１，３１の間に配置され、奥行き方向の両端部がそれぞれ一対の支柱部３１，３１と接合されている。一対の脚部材３，３は、それぞれ一対の支柱部３１，３１、上側水平部３２および下側水平部３３によって幅方向から見て矩形枠状に形成されている。
一対の支柱部３１，３１、上側水平部３２および下側水平部３３は、それぞれ角筒状の部材で構成されている。
【００２２】
図７および図８に示すように、上側水平部３２は、上面３２ａが一対の支柱部３１，３１の上端部３１ａ，３１ａよりも上側となり、下面３２ｂが一対の支柱部３１，３１の上端部３１ａ，３１ａよりも下側となるように配置されていて、上部側が一対の支柱部３１，３１の上端部３１，３１ａよりも上側に突出している。
上側水平部３２は、一対の支柱部３１，３１よりも幅方向の寸法が小さく、幅方向内側の第１側面３２ｃが一対の支柱部３１，３１それぞれの幅方向内側の面３１ｂと略面一となり、幅方向外側の第２側面３２ｄが一対の支柱部３１，３１それぞれの幅方向外側の面３１ｃよりも幅方向内側に配置されている。
【００２３】
図７（ａ）および（ｂ）に示すように、下側水平部３３は、幅方向の寸法が一対の支柱部３１，３１の幅方向の寸法と略同じ寸法となるように形成されていて、幅方向内側の面３３ａが一対の支柱部３１，３１の幅方向内側の面３１ｂと略面一となるとともに、幅方向外側の面３３ｂが一対の支柱部３１，３１の幅方向外側の面３１ｃと略面一となるように配置されている。
【００２４】
図９に示すように、一対の脚部材３，３は、それぞれ上側水平部３２の一対の支柱部３１，３１の上端部３１ａ，３１ａよりも上側の部分が天板２Ａの第１凹部２２に下側から挿入されて、上側水平部３２の上面３２ａが第１凹部２２の底面２２ａと当接し、一対の支柱部３１，３１の上端部３１ａ，３１ａが第１凹部２２の奥行き方向外側において天板２Ａの下面２ａに当接した状態で天板２Ａに固定される。上側水平部３２の下部側は、天板２Ａの下面２ａよりも下側に突出している。
【００２５】
図５、図９および図１０に示すように、一対の連結部材５Ａ，５Ａは、それぞれ幅方向に延在する角筒状の部材で構成され、幅方向の両端部が一対の脚部材３のそれぞれの上側水平部３２，３２と連結されている。一対の連結部材５Ａ，５Ａは、脚部材３の上側水平部３２よりも高さ寸法が小さくなるように形成されている。一対の連結部材５Ａ，５Ａは、それぞれ一対の脚部材３，３の上側水平部３２，３２の間に配置される。
一対の連結部材５Ａ，５Ａは、それぞれ上部側が天板２Ａの第２凹部２３に挿入されて、上面５ａが第２凹部２３の底面２３ａと当接し、奥行き方向外側となる側面５ｂの上部側が第２凹部２３の側面２３ｂと当接した状態で天板２Ａに固定される。一対の連結部材５Ａ，５Ａの下部側は、天板２Ａの下面２ａよりも下側に突出している。
本実施形態では、第２凹部２３は天板２Ａの奥行き方向の縁部と離間した位置に形成されているため、使用者が連結部材５Ａの天板２Ａの下面２ａから突出する下部側と接触しにくい構造となっている。
【００２６】
図５、図７（ｂ）および図８に示すように、固定部４Ａは、上側水平部３２の第１側面３２ｃ（図８参照）に接合され、第１側面３２ｃから幅方向内側に突出している。本実施形態では、１つの上側水平部３２に対して奥行き方向に間隔をあけて２つの固定部４Ａ，４Ａが接合されている。
図１１に示すように、固定部４Ａは、連結部材５Ａを係止した状態で天板２Ａに固定される。  図７（ｃ）、図８、および図１１に示すように、固定部４Ａは、天板２Ａに固定される天板固定部４１と、連結部材５Ａ（図１１参照）を係止する連結部材係止部４２と、を有している。天板固定部４１と、連結部材係止部４２とは一体に形成されている。
天板固定部４１は、板面が略長方形状の平板状に形成され、一方の面が連結部材５Ａよりも奥行き方向内側において第２凹部２３の底面２３ａ（図１１参照）と当接した状態で天板２Ａに固定される。
【００２７】
連結部材係止部４２は、幅方向に延在し幅方向に直交する断面形状が上側に開口する略Ｃ字状に形成され、下側から連結部材５Ａに嵌合可能に構成されている。連結部材係止部４２は、天板固定部４１の奥行き方向外側の端部から下方に延びる第１鉛直板部４２１と、第１鉛直板部４２１の下端部から幅方向外側に延びる第１水平板部４２２と、第１水平板部４２２の幅方向外側の端部から上側に延びる第２鉛直板部４２３と、第２鉛直板部４２３の上端部から幅方向外側に延びる第２水平板部４２４と、を有している。
【００２８】
図１１に示すように、連結部材係止部４２は、第１鉛直板部４２１が連結部材５Ａの幅方向内側の面５ｃと当接し、第１水平板部４２２が連結部材５Ａの下面５ｄ当接し、第２鉛直板部４２３が連結部材５Ａの幅方向外側となる側面５ｂの下部側と当接し、第２水平板部４２４が天板２Ａの下面２ａと当接するように構成されている。
第１鉛直板部４２１は、第２鉛直板部４２３よりも高さ寸法が大きく形成されており、第２水平板部４２４は、天板固定部４１よりも下側に配置されている。
【００２９】
一対の脚部材３，３および一対の連結部材５Ａ，５Ａを天板２Ａに固定するには、まず、天板２Ａの第２凹部２３に一対の連結部材５Ａ，５Ａを配置する。続いて、天板２Ａの一対の第１凹部２２，２２にそれぞれ一対の脚部材３，３の上側水平部３２，３２の上部側が挿入して一対の脚部材３，３を配置する。
このとき、固定部４Ａ，４Ａそれぞれの天板固定部４１を連結部材５Ａの幅方向内側において第２凹部２３の底面２３ａと当接させ、連結部材係止部４２を連結部材５Ａと嵌合させ、連結部材係止部４２の第２水平板部４２４を連結部材５Ａの幅方向外側において天板２Ａの下面２ａと当接させる。
【００３０】
そして、第２水平板部４２４をネジなどの固定具で第２凹部２３の外側で天板２Ａに固定する。このようにすることにより、一対の脚部材３，３および一対の連結部材５Ａ，５Ａが天板２Ａに固定される。
なお、一対の連結部材５Ａ，５Ａは、固定部４Ａを介して天板２Ａに固定されるとともに、直接天板２Ａに固定されてもよい。
【００３１】
図１０に示すように、配線収容部７は、天板２Ａの第２凹部２３の下側に配置された配線収容部材７１によって形成されている。
図１０および図１２に示すように、配線収容部材７１は、第２凹部２３の下側に第２凹部２３の底面２３ａと間隔をあけて配置された配線収容板７２と、それぞれ配線収容板７２に接合されて天板２Ａに固定される一対の配線収容板固定部７３，７３と、を有している。配線収容部７は、配線収容板７２と第２凹部２３の底面２３ａとの間に形成されていて、上部側が第２凹部２３に挿入されている。
【００３２】
配線収容板７２は、板面が幅方向に長い長方形状で水平面となるように配置される水平板部７２１と、水平板部７２１の奥行き方向の両端部に連続し板面が奥行き方向外側に向かって漸次上側に向かう傾斜面となる一対の第１側板部７２２，７２２と、水平板部７２１の幅方向の両端部に連続し板面が鉛直面となる一対の第２側板部７２３，７２３と、を有している。
【００３３】
一対の第１側板部７２２，７２２は、それぞれ水平板部７２１の幅方向全体にわたって形成されている。一対の第２側板部７２３，７２３は、水平板部７２１の奥行き方向の中間部分のみに形成されている。
一対の第１側板部７２２，７２２および一対の第２側板部７２３，７２３それぞれの上端部は、第２凹部２３の底面２３ａと離間している。
水平板部７２１には、幅方向および奥行き方向の両方の中央部近傍に、上下方向に貫通し配線を挿通可能な配線挿通用孔部７２４が形成され、配線挿通用孔部７２４の幅方向の両側に、上下方向に貫通し配線収容板固定部７３を天板２Ａに固定するための一対の固定用孔部７２５，７２５が形成されている。
【００３４】
一対の配線収容板固定部７３，７３は、天板２Ａに固定される天板配線収容板固定部７３１と、それぞれ天板配線収容板固定部７３１から下側に延びて下端部が水平板部７２１に接合された一対の水平板部接合部７３２，７３２と、を有している。一対の水平板部接合部７３２，７３２は、互いに奥行き方向に間隔を開けて配置されている。一対の水平板部接合部７３２，７３２は、水平板部７２１の固定用孔部７２５の奥行き方向の両側において水平板部７２１に接合されていて、天板配線収容板固定部７３１は、水平板部７２１の固定用孔部７２５の鉛直方向上側に配置されている。一対の水平板部接合部７３２，７３２の高さ寸法は、それぞれ天板２Ａの第２凹部２３の高さ寸法（深さ寸法）よりも大きく形成されている。
【００３５】
配線収容部材７１を天板２Ａに固定するには、まず、配線収容部材７１を天板２Ａの第２凹部２３の下側に配置し、一対の配線収容板固定部７３，７３それぞれの天板配線収容板固定部７３１を第２凹部２３の底面２３ａと当接させる。このようにすることで、一対の配線収容板固定部７３，７３それぞれの上部側が第２凹部２３に挿入され、一対の配線収容板固定部７３，７３それぞれの下部側および配線収容板７２が天板２Ａの下面２ａよりも下側に配置される。
続いて、ネジなどの固定具で天板配線収容板固定部７３１を天板２Ａに固定する。このとき、水平板部７２１の固定用孔部７２５に下側からドライバーなどの工具を挿通して、天板配線収容板固定部７３１を天板２Ａに固定する。このようにして配線収容部材７１が天板２Ａに固定される。そして、配線収容板７２と第２凹部２３の底面２３ａとの間に配線収容部７が形成される。
【００３６】
配線収容部７には、配線収容部材７１と第２凹部２３の底面２３ａとの間から天板２Ａで使用される機器類の配線や電源部６の配線が挿入される。そして、配線収容部７に収容された配線は、配線挿通用孔部７２４を通って下方に延び、室内のコンセントやＬＡＮケーブルの差し込み口などに接続される。配線収容板７２の下側には配線挿通用孔部７２４から床面１１または所定の場所まで延びる配線ダクト（不図示）が設けられていてもよい。
【００３７】
図３に戻り、電源部６は、コンセントやＬＡＮケーブルの差し込み口などが収容された箱状の部材で、天板２Ａの下面２ａのうちの第２凹部２３の奥行き方向の両側に固定されている。本実施形態では、第２凹部２３の奥行き方向の両側それぞれに２つずつ４つの電源部６，６…が設けられている。電源部６，６…の配線は、それぞれ配線収容部７に収容される。
【００３８】
図９および図１３に示すように、照明部８は、天板２Ａ（図９参照）に立設する支柱部８１と、支柱部８１の下端部に接合されて天板２Ａに固定される照明固定部８２と、支柱部８１の上端部に取り付けられた照明器具８３と、を有している。照明器具８３は、ランプやランプを支持する部材、配線８３１など有する公知のもので構成されている。
支柱部８１は、筒状の部材で、内部に照明器具８３の配線８３１が挿通されている。
照明固定部８２は、板面が略正方形状の板状の部材で、支柱部８１の下端部に板面が水平面となる向きに接合されている。
照明固定部８２には、板面の略中央部に上下方向に貫通する孔部８２ａが形成されている。この孔部８２ａは、支柱部８１と上下方向に重なる位置に配置されていて、支柱部８１の内部に挿通された配線８３４を挿通できる。
【００３９】
支柱部８１は、照明固定部８２が接合された状態で天板２Ａの照明用孔部２４に下側から挿通され、照明固定部８２が第２凹部２３の底面２３ａと当接して天板２Ａの下面２ａに固定されると天板２Ａに立設した状態となる。本実施形態では、支柱部８１および照明固定部８２は、配線収容部７と上下方向に略重なる位置に配置されている。このため、支柱部８１に挿通された照明器具８３の配線８３１は、照明固定部８２の孔部８２ａから下側に引き出されると配線収容部７に到達する。照明器具８３の配線８３１は、他の配線と同様に配線収容板７２の配線挿通孔を通って下方に引き出されるように構成されている。
【００４０】
次に、上述した第１実施形態によるテーブル１Ａの作用・効果について図面を用いて説明する。
上述した第１実施形態によるテーブル１Ａでは、天板２Ａに凹部２１が形成されていて、上側水平部３２、一対の連結部材５Ａ，５Ａ、および固定部４Ａは、それぞれの上部側が凹部２１に挿入された状態で天板２Ａに固定されている。これにより、天板２Ａに凹部２１が形成されておらず、上側水平部３２、一対の連結部材５Ａ，５Ａ、および固定部４Ａが天板２Ａの下面２ａに固定されている場合と比べて、上側水平部３２、一対の連結部材５Ａ，５Ａおよび固定部４Ａが天板２Ａの下面２ａから突出する寸法を小さくできる。
【００４１】
このため、テーブル１Ａの見栄えを良くできるとともに、天板２Ａの下側の空間を広く確保できて、使用者や天板２Ａの下に収容されるワゴンなどが上側水平部３２、一対の連結部材５Ａ，５Ａおよび固定部４Ａと干渉することを抑制できる。
また、天板２Ａの板厚が大きい場合に、天板２Ａに凹部２１を形成して、上側水平部３２、一対の連結部材５Ａ，５Ａ、および固定部４Ａの上部側を挿入することにより、天板２Ａの板厚が大きくても天板２Ａの下側の空間を広く確保することができるとともに、天板２Ａの軽量化を図ることができる。
【００４２】
また、本実施形態では、固定部４Ａは、上側水平部３２の下端部よりも上方において天板２Ａに固定されていることにより、使用者や天板２Ａの下に収容されるワゴンなどが上側水平部に下端部に接触した場合も、使用者や天板２Ａの下に収容されるワゴンなどが固定部４Ａや固定部４Ａを天板２Ａに固定するネジなどの固定具と接触することを防止できる。
また、固定部４Ａは、凹部２１の内側において天板２Ａに固定されていることにより、テーブル１Ａが使用者から固定部４Ａが見えにくい構造となり、テーブル１Ａの見栄えを良くできる。
【００４３】
また、本実施形態では、配線収容部７は、上部側が第２凹部２３に挿入されていることにより、配線収容部７が天板２Ａの下面２ａから突出する寸法を小さくできる。これにより、テーブル１Ａの見栄えを良くできるとともに、使用者や天板２Ａの下に収容されるワゴンなどが配線収容部７（配線収容部材７１）と干渉することを抑制できる。
【００４４】
（第２実施形態）
次に、第２実施形態について、添付図面に基づいて説明するが、上述の第１実施形態と同一又は同様な部材、部分には同一の符号を用いて説明を省略し、実施形態と異なる構成について説明する。
図１４および図１５に示すように、第２実施形態によるテーブル１Ｂは、天板２Ｂの凹部２１の平面視形状が幅方向に長い略長方形状に形成されている。なお、図１４では凹部２１をハッチングで示している。
図１６に示すように、第２実施形態によるテーブル１Ｂでは、固定部４Ｂおよび一対の連結部材５Ｂ，５Ｂが第１実施形態と異なっている。
【００４５】
一対の連結部材５Ｂ，５Ｂは、鋼板などの板材を加工した部材で、幅方向に延在している。一対の連結部材５Ｂ，５Ｂは、天板２Ｂを支持する本体部５３と、本体部５３と一体に形成され固定部４Ｂによって天板２Ｂに固定される天板固定部５４と、を有している。
【００４６】
本体部５３は、板面が水平面となる第１水平板部５３１と、第１水平板部５３１の奥行き方向外側の端部から下方に延びる第１鉛直板部５３２と、第１鉛直板部５３２の下端部から奥行き方向内側に延びる第２水平板部５３３と、第２水平板部５３３の奥行き方向内側から奥行き方向内側に向かって漸次下側に向かう斜め方向に延びる斜め板部５３４と、斜め板部５３４の下端部から奥行き方向内側に向かって延びる第３水平板部５３５と、第３水平板部５３５の奥行き方向内側から上方に延びる第２鉛直板部５３６と、を有している。
【００４７】
第２鉛直板部５３６の上端部には、奥行き方向内側に天板固定部５４が接続されている。本体部５３の第１水平板部５３１と天板固定部５４とは同じ高さに配置されている。
一対の連結部材５Ｂ，５Ｂは、第１水平板部５３１および天板固定部５４それぞれの上面が天板２Ｂの凹部２１の底面２１ａと当接し、第１鉛直板部５３２の幅方向外側の側面が天板２Ｂの凹部２１の側面と当接した状態で天板２Ｂに固定される。
第２水平板部５３３の下面には、電源部６が取り付けられている。
【００４８】
固定部４Ｂは、連結部材５Ｂの天板固定部５４を天板２Ｂに固定する水平板部４３と、連結部材５Ｂの第２鉛直板部５３６と当接する鉛直板部４４と、を有している。
水平板部４３の奥行き方向外側の端部に鉛直板部４４の上端部が接続されている。水平板部４３と鉛直板部４４とは一体に形成されている。
水平板部４３には、奥行き方向の中間部に段部４３１が形成されている。段部４３１よりも奥行き方向外側の上面は、段部４３１よりも奥行き方向内側の上面よりも下側に配置されている。
【００４９】
固定部４Ｂは、連結部材５Ｂの奥行き方向内側に配置され、鉛直板部４４が連結部材５Ｂの第２鉛直板部５３６と当接し、水平板部４３の段部４３１よりも奥行き方向外側の上面が連結部材５Ｂの天板固定部５４の下面と当接した状態でネジなどの固定具で天板２Ｂに固定される。
このとき、水平板部４３の段部４３１よりも奥行き方向内側の上面は、天板２Ｂの凹部２１の底面２１ａと当接している。また、天板２Ｂに固定された連結部材５Ｂおよび固定部４Ｂは、上部側が天板２Ｂの凹部２１に挿入されている。
なお、固定部４Ｂの鉛直板部４４と連結部材５Ｂの第２鉛直板部５３６とを固定してもよいし、連結部材５Ｂを天板２Ｂに直接固定してもよい。
【００５０】
第２実施形態によるテーブル１Ｂでは、第１実施形態と同様の効果を奏するとともに、凹部２１の平面視形状が略長方形状であることにより、第１実施形態と比べて、天板２Ｂを容易に製造できる。
【００５１】
以上、本発明によるテーブルの実施形態について説明したが、本発明は上記の実施形態に限定されるものではなく、その趣旨を逸脱しない範囲で適宜変更可能である。
例えば、上記の実施形態では、一対の脚部材３，３の上側水平部３２の上部側、連結部材５Ａ，５Ｂの上部側、固定部４Ａ，４Ｂの上部側、および配線収容部７の上部側が凹部２１に挿入されているが、それぞれ全部が凹部２１に挿入されていてもよい。また、連結部材５Ａ，５Ｂ、固定部４Ａ，４Ｂ、および配線収容部７は、天板２Ａ，２Ｂの下面２ａに固定されていて、凹部２１に挿入されていなくてもよい。
また、上記の実施形態では、天板２Ａ，２Ｂに１つの凹部２１が形成されているが、凹部２１が複数に分割されて形成されていてもよい。また、凹部２１の形状は適宜設定されてよい。
【００５２】
また、上記の実施形態では、固定部４Ａ，４Ｂは、第２凹部２３の底面２３ａに固定されているが、天板２Ａ，２Ｂの下面２ａに固定されていてもよい。
また、上記の実施形態では、固定部４Ａ，４Ｂは、上側水平部３２の下端部よりも上側において天板２Ａ，２Ｂに固定されているが、上側水平部３２の下端部よりも下側において天板２Ａ，２Ｂに固定されていてもよい。
また、上記の実施形態では、天板２Ａ，２Ｂは、一対の脚部材３，３と一対の連結部材５Ａ，５Ａ（または５Ｂ，５Ｂ）によって支持されているが、脚部材３のみで支持されていてもよい。また、脚部材３や連結部材５Ａ，５Ｂの形状や数は、適宜設定されてよい。また、天板２Ａ，２Ｂの形状は適宜設定されもよい。
例えば、図１７に示すテーブル１Ｃのように、複数の天板２，２が配列されていてもよい。
また、上記の実施形態では、脚部材３および連結部材５Ａ，５Ｂが固定部４Ａ，４Ｂによって固定されているが、脚部材３および連結部材５Ａ，５Ｂが固定部４Ａ，４Ｂを使用せずに直接天板２Ａ，２Ｂに固定されていてもよい。
【００５３】
また、上記の実施形態では、テーブル１Ａ，１Ｂに電源部６、照明部８、配線収容部７が設けられているが設けられていなくてもよい。
また、電源部６や照明部８の形態や数、設置される位置は適宜設定されてよい。例えば、図１８に示すテーブル１Ｄのように、照明部８の支柱部８１の周りに複数のコンセントを有する電源部６Ｃが設けられていて、電源部６Ｃの配線が天板２Ａの照明用孔部２４に挿通されて配線収容部７に収容されるように構成されていてもよい。なお、図１８に示すテーブル１Ｄでは、第１実施形態によるテーブル１Ａと同様の天板２Ａ、固定部４Ａおよび連結部材５Ａが設けられているが、第２実施形態によるテーブル１Ｂと同様の天板２Ｂ、固定部４Ｂおよび連結部材５Ｂが設けられていてもよい。
また、上記の実施形態では、配線収容部７が配線収容部材７１によって形成されているが、配線を収容可能であれば上記以外の形態であってもよい。
【符号の説明】
【００５４】
１Ａ〜１Ｄ  テーブル
２，２Ａ，２Ｂ  天板
３  脚部材
４Ａ，４Ｂ  固定部
５Ａ，５Ｂ  連結部材
７  配線収容部
１１  床面
２１  凹部
３１  支柱部
３２  上側水平部
【図１】
0006638154.tif 000002
【図２】
0006638154.tif 000003
【図３】
0006638154.tif 000004
【図４】
0006638154.tif 000005
【図５】
0006638154.tif 000006
【図６】
0006638154.tif 000007
【図７】
0006638154.tif 000008
【図８】
0006638154.tif 000009
【図９】
0006638154.tif 000010
【図１０】
0006638154.tif 000011
【図１１】
0006638154.tif 000012
【図１２】
0006638154.tif 000013
【図１３】
0006638154.tif 000014
【図１４】
0006638154.tif 000015
【図１５】
0006638154.tif 000016
【図１６】
0006638154.tif 000017
【図１７】
0006638154.tif 000018
【図１８】
0006638154.tif 000019